(57)【要約】【課題】シール性が損なわれるのを防止する。【解決手段】第２ハウジング３００のフード部３０１の内面にはリブ３０５、３０６が突出して形成されている。第１ハウジング１０はフード部３０１内に嵌合可能なハウジング本体１１を有し、ハウジング本体１１には、第１、第２ハウジング３００間のシールをとるシールリング５０が外嵌され、さらに抜け止め部材が装着される。抜け止め部材は、シールリング５０の抜けを規制する押さえ面６７、９０と、嵌合時にリブ３０５、３０６が進入する溝６８、８６とを有する。抜け止め部材における押さえ面６７、９０と対向する反対側の溝６８、８６の奥面には、ハウジング本体１１側に向けて押さえ面６７、９０に近づくように傾斜する逆テーパ状の逆テーパ面７４、９１が形成されている。【選択図】図８
2014053149.tif 000002
【特許請求の範囲】
【請求項１】
筒状のフード部を有し、前記フード部の内面にリブが突出してなる第２ハウジングと、
前記フード部内に嵌合可能なブロック状のハウジング本体を有している第１ハウジングと、
前記ハウジング本体の外面に嵌着され、嵌合時に前記フード部と前記ハウジング本体との間に挟まれて前記第１、第２ハウジングに弾性的に密着するシールリングと、
前記ハウジング本体に装着され、前記シールリングに当接してこのシールリングの抜け出しを規制する押さえ面を有するとともに、嵌合時に前記リブが進入する溝を有し、前記押さえ面と対向する反対側の前記溝の奥面に、前記押さえ面側に向けて前記ハウジング本体側に近づくように傾斜する逆テーパ状の逆テーパ面が形成されてなる抜け止め部材とを備えることを特徴とするコネクタ。
【請求項２】
前記抜け止め部材が、前記ハウジング本体内に挿入された端子金具を抜け止め状態で係止可能なリテーナで構成されていることを特徴とする請求項１記載のコネクタ。
【請求項３】
前記抜け止め部材が、前記ハウジング本体の前面に対向して配置されて嵌合時に前記第２ハウジングに装着されたタブを位置決めして貫通させる前壁と、前記前壁の周縁から突出し、前記ハウジング本体の周面に対向して配置されて前記溝が形成された周壁とを有するフロントホルダで構成されていることを特徴とする請求項１又は２記載のコネクタ。
【請求項４】
前記リブが前記フード部内において幅方向に複数並んで配置され、前記各リブと対応するように、前記溝が前記抜け止め部材において幅方向に複数並んで配置されていることを特徴とする請求項１ないし３のいずれか１項記載のコネクタ。
【請求項５】
前記抜け止め部材が、前記ハウジング本体内に挿入された端子金具を抜け止め状態で係止可能なリテーナで構成され、前記溝内には、前記ハウジング本体に対する前記リテーナの係止状態を解除するための治具が挿入可能とされており、幅方向で隣接する前記溝のうち、少なくとも一対の前記溝が互いに連通した状態にあることを特徴とする請求項４記載のコネクタ。
【請求項６】
前記リブの先端部が、前記逆テーパ面と整合可能であって、前記フード部の高さ方向中央側に行くに従って先方に突き出る逆テーパ状の形態をなしていることを特徴とする請求項１ないし５のいずれか１項記載のコネクタ。
【発明の詳細な説明】
【技術分野】
【０００１】
本発明は、コネクタに関する。
【背景技術】
【０００２】
特許文献１に開示のコネクタは、互いに嵌合可能な第１、第２ハウジングを備えている。第２ハウジングは、筒状のフード部を有し、第１ハウジングは、フード部内に嵌合可能なブロック状のハウジング本体を有している。ハウジング本体の外面にはシールリングが嵌着され、嵌合時にはシールリングがフード部とハウジング本体との間に挟まれて第１、第２ハウジングに弾性的に密着するようになっている。
【０００３】
また、ハウジング本体には前方からリテーナが装着される。リテーナは、端子金具を係止するランスの撓み空間に進入してランスの撓み動作を規制する撓み規制部と、先端部にシールリングの抜け出しを規制する押さえ部が形成されていてハウジング本体の外周を覆う周壁とを有している。周壁の外面には、前後方向に延びて前方に開口する溝状の凹溝が形成されている。凹溝の奥面は、シールリングの近傍に配置され、ハウジング本体から離れるに従ってシールリング側に近づくような順テーパ状の形態をなしている。
【先行技術文献】
【特許文献】
【０００４】
【特許文献１】特開平１０−１９９６１０号公報
【発明の概要】
【発明が解決しようとする課題】
【０００５】
ところで、上記従来のコネクタにおいて、仮に、凹溝内に外部から異物が進入すると、異物の先端が凹溝の順テーパ状の奥面を摺動してシールリング側に誘導されるという事情がある。このため、異物の先端がシールリングに当接してシールリングを傷付け、所定のシール性が損なわれるおそれがある。
【０００６】
本発明は上記のような事情に基づいて完成されたものであって、シール性が損なわれるのを防止することを目的とする。
【課題を解決するための手段】
【０００７】
本発明のコネクタは、筒状のフード部を有し、前記フード部の内面にリブが突出してなる第２ハウジングと、前記フード部内に嵌合可能なブロック状のハウジング本体を有している第１ハウジングと、前記ハウジング本体の外面に嵌着され、嵌合時に前記フード部と前記ハウジング本体との間に挟まれて前記第１、第２ハウジングに弾性的に密着するシールリングと、前記ハウジング本体に装着され、前記シールリングに当接してこのシールリングの抜け出しを規制する押さえ面を有するとともに、嵌合時に前記リブが進入する溝を有し、前記押さえ面と対向する反対側の前記溝の奥面に、前記押さえ面側に向けて前記ハウジング本体側に近づくように傾斜する逆テーパ状の逆テーパ面が形成されてなる抜け止め部材とを備えるところに特徴を有する。
【発明の効果】
【０００８】
本発明によれば、仮に、溝内に外部から異物が進入しても、異物の先端が溝の奥面に形成された逆テーパ面を摺動することによってハウジング本体側に誘導されるため、異物がシールリングに当接するのが阻止される。その結果、異物との干渉に起因してシールリングのシール性が損なわれるのが防止される。
【図面の簡単な説明】
【０００９】
【図１】本発明の実施例１に係る第１、第２コネクタの嵌合前の断面図である。
【図２】第１、第２コネクタの嵌合途中の断面図である。
【図３】第１、第２コネクタの正規嵌合時の断面図である。
【図４】第１コネクタの正面図である。
【図５】第１コネクタの底面図である。
【図６】リテーナの正面図である。
【図７】フロントホルダの正面図である。
【図８】リテーナの係止状態を解除するための治具が溝内に挿入された第１コネクタの断面図である。
【図９】第２コネクタの正面図である。
【発明を実施するための形態】
【００１０】
本発明は好ましい形態を以下に示す。
前記抜け止め部材が、前記ハウジング本体内に挿入された端子金具を抜け止め状態で係止可能なリテーナで構成されている。こうすると、抜け止め部材が端子金具の抜け止め機能も兼用するため、全体の構成を簡素化することができる。
【００１１】
前記抜け止め部材が、前記ハウジング本体の前面に対向して配置されて嵌合時に前記第２ハウジングに装着されたタブを位置決めして貫通させる前壁と、前記前壁の周縁から突出し、前記ハウジング本体の周面に対向して配置されて前記溝が形成された周壁とを有するフロントホルダで構成されている。こうすると、抜け止め部材がタブを位置決めする機能も兼用するため、全体の構成を簡素化することができる。また、溝がフロントホルダの周壁に形成されるため、溝長さを充分に長くとることができる。
【００１２】
前記リブが前記フード部内において幅方向に複数並んで配置され、前記各リブと対応するように、前記溝が前記抜け止め部材において幅方向に複数並んで配置されている。リブがフード部内において幅方向に複数並んで配置されるため、フード部の開口高さを実質的に小さくすることができる。その結果、フード部内に異物が入り込み難くなり、異物との干渉に起因してタブが変形するのを防止することができる。
【００１３】
前記抜け止め部材が、前記ハウジング本体内に挿入された端子金具を抜け止め状態で係止可能なリテーナで構成され、前記溝内には、前記ハウジング本体に対する前記リテーナの係止状態を解除するための治具が挿入可能とされており、幅方向で隣接する前記溝のうち、少なくとも一対の前記溝が互いに連通した状態にある。連通状態にある溝は他と比べて溝幅が大きくなるため、かかる連通状態にある溝に治具を挿入し易く、治具の解除操作性が高められる。
【００１４】
＜実施例１＞
本発明の実施例１を図１〜図９によって説明する。実施例１は、互いに嵌合可能な第１、第２コネクタで構成されている。図１に示すように、第１コネクタは、第１ハウジング１０、シールリング５０、フロントホルダ６０、リテーナ８０、レバー１００、及び第１端子金具２００を備え、第２コネクタは、第２ハウジング３００及び第２端子金具４００を備えている。なお、以下の説明において、前後方向については、第１、第２コネクタ（第１、第２ハウジング１０、３００）の相互の嵌合側を前方とする。
【００１５】
第２ハウジング３００は合成樹脂製であって、図９に示すように、幅方向に細長く延びる筒状のフード部３０１を有している。フード部３０１は、縦壁状の奥壁３０２と、奥壁３０２の前面から前方に突出して周方向に連なる筒壁３０３とを有している。奥壁３０２の前面には、第２端子金具４００を構成する複数のタブ４０１、４０２が装着されている。各タブ４０１、４０２は、図示左側において上下２段で幅方向に多数並んで配置されるピン状のピン状タブ４０１と、図示右側において幅方向に対をなして配置される板状の板状タブ４０２とからなる。各ピン状タブ４０１は高さ方向及び幅方向に関してそれぞれ同一ピッチ離れて整列に配置されている。
【００１６】
筒壁３０３の左右の外面には、一対のカムフォロア３１０が突出して形成されている。各カムフォロア３１０は円柱状をなし、相手側のレバー１００のカム溝１０４（後述する）に係合可能とされている。筒壁３０３の上下の内面には、多数のリブ３０５、３０６が突出して形成されている。各リブ３０５、３０６は、図示左側において突出方向にほぼ同幅をなす多数の同幅リブ３０５と、図示右側において突出端側が幅方向両側に張り出す一対の拡幅リブ３０６とを有している。各同幅リブ３０５は、各ピン状タブ４０１を挟んだ高さ方向両側の位置に、各ピン状タブ４０１と同じピッチで整列に配置され、各拡幅リブ３０６は、図示右側の板状タブ４０２を挟んだ高さ方向両側の位置に配置されている。また、図示左側の板状タブ４０２の周りは、奥壁３０２の前面から突出する一方、筒壁３０３の内面には連結されない非連結壁３０７によって幅方向及び上方を取り囲まれている。図１に示すように、各同幅リブ３０５、各拡幅リブ３０６及び非連結壁３０７のそれぞれの前端は、いずれも各ピン状タブ４０１及び各板状タブ４０２のそれぞれの前端よりも前方に位置している。
【００１７】
上記の場合、フード部３０１の開口高さは各同幅リブ３０５によって実質的に小さくなるため、フード部３０１内には異物が入り込み難くなる。このため、フード部３０１内に異物が進入しようとすると、異物が各同幅リブ３０５に当接してピン状タブ４０１との干渉を回避することが可能となっている。同様に、異物が各拡幅リブ３０６及び非連結壁３０７に当接することによって板状タブ４０２との干渉を回避可能となっている。
【００１８】
また、各同幅リブ３０５及び各拡幅リブ３０６のそれぞれの前端は、図１に示すように、フード部３０１の高さ方向中央側へ行くに従って次第に前方へ突き出るような逆テーパ状のリブ側逆テーパ面３０８とされている。ここで、フード部３０１内に異物が進入しようとすると、異物の先端がリブ側逆テーパ面３０８によってフード部３０１の高さ方向中央から離れる外側に誘導され、異物がタブ４０１、４０２と干渉するのがより確実に回避されるようになっている。
【００１９】
第１ハウジング１０は合成樹脂製であって、図４及び図５に示すように、幅方向に細長い形状をなし、図１に示すように、ブロック状のハウジング本体１１と、ハウジング本体１１の周りを取り囲む筒状の嵌合筒部１２とを有している。ハウジング本体１１と嵌合筒部１２とは、後端部における径方向にほぼ沿った連結部１３を介して互いに連結されている。そして、ハウジング本体１１と嵌合筒部１２との間には、嵌合時に、相手側のフード部３０１が嵌合挿入される嵌合空間１４が前方に開口して形成されている。
【００２０】
図４に示すように、嵌合筒部１２の左右の外面には、一対の支軸１５が突出して形成されている。各支軸１５は、略円柱状をなし、レバー１００を支持可能とされている。また、図１に示すように、嵌合筒部１２の上壁の後端には、レバー１００を係止可能なレバーロック受け部１６が突出して形成されている。
【００２１】
レバー１００は合成樹脂製であって、図４に示すように、全体として門型板状をなし、幅方向に細長い操作部１０１と、操作部１０１の両端から互いにほぼ平行に突出する一対のカム部１０２とを有している。図１に示すように、操作部１０１にはレバーロック部１０３が撓み可能に形成されている。また、各カム部１０２には有底のカム溝１０４が形成されている。
【００２２】
そして、レバー１００は、嵌合筒部１２の上方に跨って配置され、図１に示すように、操作部１０１が第１コネクタの前端側に位置する初期位置と、図３に示すように、操作部１０１が第１コネクタの後端側に位置する嵌合位置との間を回動可能とされている。初期位置では、第１、第２ハウジング１０、３００が浅く嵌合してカム溝１０４の入り口にカムフォロア３１０が導入され、初期位置から嵌合位置に向かう回動過程では、カム溝１０４の溝面をカムフォロア３１０が摺動してカム作用が発揮され、第１、第２ハウジング１０、３００の嵌合動作が低操作力で進行するようになっている。また、嵌合位置では、カム溝１０４の奥側にカムフォロア３１０が移動して、図３に示すように、レバーロック受け部１６をレバーロック部１０３が弾性係止し、もってレバー１００の回動操作が停止されるとともに、第１、第２ハウジング１０、３００が正規嵌合状態に保持されるようになっている。
【００２３】
また、図５に示すように、嵌合筒部１２の下壁には、リテーナ８０の差し込みを許容する開口部１７が貫通して形成されている。開口部１７は、幅方向に延びて下壁の前端に開口する形態とされている。
【００２４】
図１に示すように、ハウジング本体１１の内部には、各タブ４０１、４０２と対向する位置に、複数のキャビティ１８が前後方向に延出して形成されている。各キャビティ１８のうち、一対の板状タブ４０２と対向する大型のキャビティ１８は、図４に示すように、前方に突出する筒状の一対のキャビティタワー部１９内に形成されている。そして、各キャビティ１８内には後方から第１端子金具２００が挿入される。また、各キャビティ１８の内面の前端部には、前方へ突出する片持ち状のランス２０が撓み可能に形成されている。
【００２５】
第１端子金具２００は、図３に示すように、タブ４０１、４０２が挿入接続される筒状の接続部２０１と、接続部２０１の後方に位置して電線６００の先端部で露出する芯線に圧着されるワイヤバレル２０２と、ワイヤバレル２０２の後方に位置して電線６００の先端部に嵌着されたゴム栓７００に圧着されるインシュレーションバレル２０３とを有している。キャビティ１８内に正規挿入された第１端子金具２００はランス２０によって弾性的に抜け止め係止されるようになっている。また、第１端子金具２００がキャビティ１８内に正規挿入された状態では、ゴム栓７００がキャビティ１８の内面に弾性的に密着して、電線６００とハウジング本体１１との間が液密にシールされるようになっている。
【００２６】
図３に示すように、ハウジング本体１１の外周における連結部１３の直前位置には、径方向の段部２１が形成され、段部２１を境とする前方に、後方から一段落ちてシールリング５０が嵌着可能なリング装着面２２が形成されている。段部２１は、径方向に対して外側がやや前方に傾斜する形態とされ、リング装着面２２に前方から装着されるシールリング５０の前止まりとして機能する。
【００２７】
シールリング５０はゴム製であって、図４に示すように、幅方向に細長く延びた環状の形態とされている。図１に示すように、シールリング５０の内面には、リング装着面２２に弾性的に密着する内周リップ５１が周回して形成されている。また、シールリング５０の外面には、嵌合時にフード部３０１の内面に弾性的に密着する外周リップ５２が周回して形成されている。外周リップ５２及び内周リップ５１は、前後方向に複数並んで配置されている。
【００２８】
また、図１に示すように、ハウジング本体１１の上下面におけるリング装着面２２との境界位置には、高さ方向の段差２３が形成され、段差２３を境とする前方に、後方（リング装着面２２の前端）から一段落ちてフロントホルダ６０の周壁６２（後述する）が嵌着可能なホルダ装着面２４が形成されている。段差２３は、高さ方向にほぼ沿って配置されている。また、ハウジング本体１１の下面には、リテーナ８０が挿入可能なリテーナ装着溝２５が開口して形成されている。リテーナ装着溝２５は、幅方向に細長く延びて全キャビティ１８に通じる深さで構成されている。
【００２９】
リテーナ８０は合成樹脂製であって、図６に示すように、幅方向に細長く延びる基部８１と、基部８１の左右両端から立ち上がる一対のリテーナロック部８２と、基部８１の右側に位置して幅方向に多数の窓部８３を並設してなるリテーナ本体部８４とを有している。そして、リテーナ８０は、開口部１７を通してリテーナ装着溝２５内に下方から挿入され、リテーナ装着溝２５内に浅く挿入される仮係止位置と、リテーナ装着溝２５内に深く挿入される本係止位置とに移動可能とされ、且つ、ハウジング本体１１にリテーナロック部８２が係止されることにより、仮係止位置と本係止位置とに保持可能とされている。図６に示すように、リテーナ本体部８４の上端及び窓部８３内の下面には、各キャビティ１８と対応する位置に、幅方向に多数の突起８５が形成されている。本係止位置では、図３に示すように、各窓部８３が各キャビティ１８と連通するとともに、各突起８５が各第１端子金具２００の接続部２０１の後方に配置され、これによって各第１端子金具２００が各キャビティ１８内に確実に抜け止めされるようになっている。
【００３０】
基部８１には、各窓部８３と対向する位置に、複数の溝８６が幅方向に並んで形成されている。図５に示すように、各溝８６は、前後方向に延びて基部８１の前端に開口し、且つ厚み方向に貫通する形態とされている。また、基部８１には、各窓部８３間の隔壁８７と対向する位置に、各溝８６間を仕切る複数の仕切り部８８が櫛歯状に形成されている。そして、複数の溝８６のうち、幅方向の途中で隣接する一対の溝８６は、間に仕切り部８８が形成されず、互いに連通した状態にある。この連通状態にある一対の溝８６は連通溝８９とされ、他の溝８６の２倍以上の溝幅を有することになる。
【００３１】
また、図３に示すように、基部８１の後面には、幅方向及び高さ方向にほぼ沿って配置される押さえ面９０が形成されている。押さえ面９０は、シールリング５０の前端に当接可能に配置されてシールリング５０の前方への抜け出しを規制可能とされている。また、図１に示すように、溝８６の奥面（後面）は、押さえ面９０と対向する反対側に背合わせ状に配置され、前方（押さえ面９０側）に向けて上り勾配となるようにリテーナ本体部８４側（装着時におけるハウジング本体１１側）に近づく逆テーパ状の逆テーパ面９１とされている。逆テーパ面９１は、各溝８６の奥面においてそれぞれ同じ前後位置に同じ傾斜角をもって形成されている。
【００３２】
続いてフロントホルダ６０について説明すると、フロントホルダ６０は合成樹脂製であってキャップ状をなし、図１及び図７に示すように、幅方向に細長く且つ高さ方向にほぼ沿って配置される前壁６１と、前壁６１の周縁から後方へ突出する周壁６２とを備えている。フロントホルダ６０はハウジング本体１１に前方から装着され、図１に示すように、装着時には、前壁６１がハウジング本体１１の前面に対向して配置され、周壁６２がハウジング本体１１のホルダ装着面２４を含む周面に対向して配置されるようになっている。
【００３３】
前壁６１の図示右側には、図７に示すように、ピン状タブ４０１を位置決めして挿入可能な複数の貫通孔６３が貫通して形成されている。各貫通孔６３は、各ピン状タブ４０１に対応するように上下２段で幅方向に多数整列して配置されている。また、前壁６１の図示左側には、図４に示すように、装着時に、一対のキャビティタワー部１９が後方から一括して挿入される逃がし孔６４が貫通して形成されている。また、図１に示すように、前壁６１の後面には、各貫通孔６３と対応する位置に、キャビティ１８内に正規挿入された第１端子金具２００の接続部２０１の前端部が位置決めして嵌合される嵌合凹部６５が形成されている。なお、図４に示すように、各ピン状タブ４０１と対向するキャビティ１８内に形成された各ランス２０はその前方を前壁６１で覆われて隠ぺいされるようになっている。
【００３４】
図５に示すように、周壁６２の下壁には、リテーナ８０が挿入されるリテーナ挿入孔６６が切り欠いて形成されている。リテーナ挿入孔６６は、幅方向に延びて下壁の後端に開口する形態とされている。リテーナ挿入孔６６内にリテーナ８０が挿入されると、周壁６２の下壁とリテーナ８０の基部８１とが前後方向に隣接して配置されるようになっている。また、図１に示すように、周壁６２の後端には、リテーナ挿入孔６６と対応する部分を除いて、幅方向及び高さ方向にほぼ沿って配置される押さえ面６７が形成されている。押さえ面６７は、シールリング５０の前端に当接可能に配置されてシールリング５０の前方への抜け出しを規制可能とされている。リテーナ８０及びフロントホルダ６０がハウジング本体１１に装着された状態では、押さえ面６７がリテーナ８０の押さえ面９０と周方向でほぼ連続して配置されるようになっている。
【００３５】
さて、周壁６２には、図５に示すように、幅方向に間隔をあけて複数の溝６８が形成されている。各溝６８は、図７に示すように、前後方向に延びて前壁６１の前端に開口し且つ厚み方向に貫通する形態とされている。各溝６８のうち、周壁６２の下壁に形成されているものは、リテーナ８０及びフロントホルダ６０がハウジング本体１１に装着された状態で、リテーナ８０の各溝８６と前後方向に同軸で連通するようになっている。各溝６８、８６には、第１、第２コネクタの嵌合時に、相手側の各リブ３０５、３０６が前方から嵌合状態で進入するようになっている。
【００３６】
各溝６８のうち、各同幅リブ３０５が進入する複数の溝６８は、幅方向にほぼ同一ピッチ離れて並ぶ整列溝群６９として構成される。整列溝群６９では、各溝６８間に、前後方向に延びる複数の角リブ状の隔壁部７１が形成されている。各隔壁部７１のうち、周壁６２の下壁に形成されているものは、リテーナ８０及びフロントホルダ６０がハウジング本体１１に装着された状態で、リテーナ８０の各仕切り部８８と前後方向に同軸で配置されるようになっている。また、周壁６２の下壁に形成された各溝６８のうち、幅方向の途中で隣接する一対の溝６８は、間に隔壁部７１が形成されず、互いに連通した状態にある。この連通状態にある一対の溝６８は連通溝７２とされ、他の溝６８の２倍以上の溝幅を有することになる。また、図５に示すように、連通溝７２は、リテーナ８０及びフロントホルダ６０がハウジング本体１１に装着された状態で、リテーナ８０の連通溝８９と前後方向に同軸で連通するようになっている。
【００３７】
また、図１に示すように、周壁６２の上壁に形成された各溝６８の奥面は、押さえ面６７と対向する反対側に背合わせ状に配置され、前方（押さえ面６７側）に向けて下り勾配となるように下壁側（装着時におけるハウジング本体１１側）に近づく逆テーパ状の逆テーパ面７４とされている。逆テーパ面７４は、各溝６８の奥面においてそれぞれ同じ前後位置に同じ傾斜角をもって形成されている。
【００３８】
次に、本実施例の作用効果を説明する。
ハウジング本体１１に、シールリング５０、フロントホルダ６０及びリテーナ８０が装着され、リテーナ８０が仮係止位置に留め置かれた状態で、各キャビティ１８内に電線６００及びゴム栓７００付きの第１端子金具２００が挿入される。各キャビティ１８内に第１端子金具２００が挿入されたら、続いて、リテーナ８０が本係止位置に押し込まれる。すると、各第１端子金具２００がリテーナ８０によって抜け止め保持される。また、図１に示すように、シールリング５０の後端が段部２１に当接可能に配置されるとともに、シールリング５０の前端がフロントホルダ６０及びリテーナ８０の各押さえ面６７、９０に当接可能に配置され、もってシールリング５０がリング装着面２２に位置決め状態で保持される。このとき、シールリング５０の外周リップ５２は、フロントホルダ６０の周壁６２の外面よりも径方向外側に突出して配置される。
【００３９】
次いで、図２に示すように、第２ハウジング３００のフード部３０１内に第１ハウジング１０のハウジング本体１１が浅く嵌合され、その状態で、図２から図３にかけて示すように、レバー１００が初期位置から嵌合位置へ向けて回動される。嵌合過程では、各リブ３０５、３０６が各溝６８、８６内に進入し、第１、第２ハウジング１０、３００の嵌合動作が案内される。また、仮に、第１、第２ハウジング１０、３００の嵌合姿勢が上下反転していると、リブ３０５、３０６が各溝６８、８６に進入せずにフロントホルダ６０の前壁６１に突き当たることにより、第１、第２ハウジング１０、３００の誤嵌合が阻止されるようになっている。第１、第２コネクタが正規嵌合状態になると、図３に示すように、リブ側逆テーパ面３０８が逆テーパ面７４、９１と整合状態で正対し、相互の干渉が回避される。
【００４０】
ところで、メンテナンス等の事情により、リテーナ８０を仮係止位置から本係止位置に戻す際、又はリテーナ８０をハウジング本体１１から取り外す際には、図８に示すように、ドライバ状の治具４０が開口部１７を通して第１ハウジング１０内に挿入される。このとき、治具４０の先端部は、リテーナ８０の連通溝８９内に挿入され、又はフロントホルダ６０とリテーナ８０の各連通溝７２、８９内に跨って挿入され、その状態でリテーナ８０の連通溝８９の逆テーパ面９１に沿って配置される。その状態で、治具４０の先端部が押し下げられると、逆テーパ面９１に下向きの押圧力が付与され、それに伴いリテーナ８０の本係止状態及び仮係止状態が解除されて、リテーナ８０が下向きに移動させられるようになっている。
【００４１】
一方、上記の場合、治具４０が誤って周壁６２の上壁の溝６８内に挿入されることもある。仮に、治具４０が周壁６２の上壁の溝６８内に挿入され、さらに治具４０の先端部が溝６８から抜け出てシールリング５０の外周リップ５２に当接すると、外周リップ５２が治具４０との干渉に起因して傷付くおそれがある。しかるに本実施例によれば、溝６８の奥面が逆テーパ面７４、９１とされているため、治具４０の先端部が、逆テーパ面７４、９１に沿って下向き（内向き）に変位させられ、最後はハウジング本体１１の上面に当接する。したがって、治具４０がシールリング５０の外周リップ５２と当接するのが回避される結果、シールリング５０の所定のシール性を維持することができる。なお、治具４０が周壁６２の下壁の溝６８内に挿入された場合には、上記の通り、逆テーパ面９１によってリテーナ８０の取り外し操作に誘導されるため、同様に、シールリング５０が治具４０で傷付けられることはない。また、治具４０に限らず、他の異物が溝６８、８６内に挿入された場合でも、該異物が逆テーパ面７４、９１に沿ってハウジング本体１１側に誘導されるため、シールリング５０と当接するのが阻止され、シールリング５０の損傷が防止される。
【００４２】
以上説明したように、本実施例によれば、溝６８、８６内に外部から異物が進入しても、異物の先端が溝６８、８６の奥面に形成された逆テーパ面７４、９１を摺動することによってハウジング本体１１側に誘導されるため、異物がシールリング５０に当接するのが阻止される。その結果、異物との干渉に起因してシールリング５０のシール性が損なわれるのが防止される。
【００４３】
また、リテーナ８０及びフロントホルダ６０によってシールリング５０の抜け止めがなされるから、専用の抜け止め部材を用意する必要がなく、構成の簡素化を図れるとともに、部品点数を削減することができる。また、フロントホルダ６０の周壁６２に溝６８が形成されるため、溝長さを長く確保することができ、第１、第２コネクタの嵌合動作をガイドする際の信頼性が高められる。
【００４４】
また、フード部３０１内に同幅リブ３０５等のリブ３０５、３０６が幅方向に多数形成されているため、フード部３０１の実質的な開口面積が小さくなり、フード部３０１内に異物が入り込み難くなる。その結果、異物との干渉に起因してタブ４０１、４０２が変形するのも防止される。さらに、リテーナ８０の離脱時には、幅広に形成された連通溝８９に治具４０を挿入して解除操作することが可能となるため、治具４０の解除操作性が良好となる。
【００４５】
＜他の実施例＞
本発明は上記記述及び図面によって説明した実施例に限定されるものではなく、例えば次のような態様であってもよい。
（１）フロントホルダのみに押さえ面及び各溝が形成されるものであってもよい。逆に、リテーナのみに押さえ面及び各溝が形成されるものであってもよい。さらに、専用の抜け止め部材に押さえ面及び各溝が形成されるものであってもよい。
（２）上記のようなサイドタイプのリテーナが省略され、フロントホルダがランスの撓み動作を規制して端子金具の抜け止めをなすリテーナ機能を兼用するものであってもよい。
（３）治具は、リテーナの離脱時に、連通溝ではなく非連通状態の溝に挿入されて操作されるものであってもよい。
（４）連通溝が幅方向の複数箇所に形成されるものであってもよい。
【符号の説明】
【００４６】
１０…第１ハウジング
１１…ハウジング本体
４０…治具
５０…シールリング
６０…フロントホルダ
６１…前壁
６２…周壁
６７…押さえ面（フロントホルダの押さえ面）
６８…溝（フロントホルダの溝）
７２…連通溝（フロントホルダの連通溝）
７４…逆テーパ面（フロントホルダの逆テーパ面）
８０…リテーナ
８６…溝（リテーナの溝）
８９…連通溝（リテーナの連通溝）
９０…押さえ面（リテーナの押さえ面）
９１…逆テーパ面（リテーナの逆テーパ面）
２００…第１端子金具（端子金具）
３００…第２ハウジング
３０１…フード部
３０５…リブ（同幅リブ）
３０６…リブ（拡幅リブ）
４００…第２端子金具
４０１…ピン状タブ（タブ）
４０２…板状タブ（タブ）
【図１】
2014053149.tif 000003
【図２】
2014053149.tif 000004
【図３】
2014053149.tif 000005
【図４】
2014053149.tif 000006
【図５】
2014053149.tif 000007
【図６】
2014053149.tif 000008
【図７】
2014053149.tif 000009
【図８】
2014053149.tif 000010
【図９】
2014053149.tif 000011